(57)【要約】【課題】水栓本体に対して吐水ヘッドが着脱自在に装着される水栓装置における、水栓本体に対する吐水ヘッドのガタつきを抑制することを目的とする。【解決手段】挿入部２３の外周面には、ガタつき抑制手段としての板ばね２４が設けられており、挿入部２３が被挿入部３５内に挿入された状態において、板ばね２４は、被挿入部３５の内周面から下方に向けて押し込まれて弾性変形し、ホースガイド２０の中心軸Ｘ２方向に向けて撓んでいる。【選択図】図９
2017141587.tif 000002
【特許請求の範囲】
【請求項１】
水栓本体に対して着脱自在に装着される吐水ヘッドを備えた水栓装置において、
前記水栓本体と前記吐水ヘッドとのうちの一方に設けられた挿入部と、
前記水栓本体と前記吐水ヘッドとのうちの他方に設けられ、前記挿入部が挿入される被挿入部と、
を有し、
前記挿入部の外周面と前記被挿入部の内周面との間に、前記水栓本体に対して前記吐水ヘッドが鉛直方向にガタつくことを抑制するガタつき抑制手段を設けた水栓装置。
【請求項２】
前記ガタつき抑制手段は、前記挿入部を上下に二等分したうちの上方側における前記挿入部の外周面に設けられた突出部を有し、
前記挿入部が前記被挿入部内に挿入された状態において、
前記挿入部を上下方向にニ等分したうちの上方側で前記突出部と前記被挿入部の内周面とが当接され、
前記挿入部を上下方向に二等分したうちの下方側で前記挿入部の外周面と前記被挿入部の内周面とが当接される請求項１に記載の水栓装置。
【請求項３】
前記突出部は、前記挿入部の外周面において一体的に形成された板ばねである請求項２に記載の水栓装置。
【請求項４】
前記水栓本体に前記挿入部が設けられ、
前記突出部は、前記挿入部の外周面における後端部に設けられる請求項２又は３に記載の水栓装置。
【請求項５】
前記挿入部の外周面と前記被挿入部の内周面とのうちの一方に設けられた凸部と、
前記挿入部の外周面と前記被挿入部の内周面とのうちの他方に設けられて前記凸部に嵌合される凹部と、を有する請求項１乃至４のいずれか１項に記載の水栓装置。
【発明の詳細な説明】
【技術分野】
【０００１】
本発明は、水栓本体に対して吐水ヘッドが着脱自在に装着される水栓装置に関する。
【０００２】
台所や洗面台などに設置される水栓装置において、水栓本体がカウンターに固定され、水栓本体の先端に取り付けられた吐水ヘッドが引き出し自在であるものが知られている（例えば、特許文献１）。このような水栓装置は、吐水口を有する吐水ヘッドを水栓本体から引き出して作業しやすい位置に吐水ヘッドをもってくることができ、使用者にとって作業性が良いものである。
【先行技術文献】
【特許文献】
【０００３】
【特許文献１】特開２００３−１４７８２１号公報
【発明の概要】
【発明が解決しようとする課題】
【０００４】
上述したような水栓装置は、水栓本体の先端に設けられた挿入部と、吐水ヘッドの端部に設けられて水栓本体の挿入部が挿入される被挿入部との間に嵌め合い代を設けることで、水栓本体から吐水ヘッドをスムーズに引き出し易くなる。しかし、挿入部と被挿入部との間に嵌め合い代を設けると、水栓本体の挿入部の外周面と吐水ヘッドの被挿入部の内周面との間には隙間ができる。そのため、吐水ヘッドの先端にかかる重力によって下方へ垂れ下がり、水栓本体に対する吐水ヘッドのガタつきが発生する。
【０００５】
本発明は、上述した課題を解決するためになされたものであり、水栓本体に対して吐水ヘッドが着脱自在に装着される水栓装置における水栓本体に対する吐水ヘッドのガタつきを抑制することを目的とする。
【課題を解決するための手段】
【０００６】
本発明の一態様に係る水栓装置は、水栓本体に対して着脱自在に装着される吐水ヘッドを備えた水栓装置において、水栓本体と吐水ヘッドとのうちの一方に設けられた挿入部と、水栓本体と吐水ヘッドとのうちの他方に設けられ、挿入部が挿入される被挿入部と、を有し、挿入部の外周面と被挿入部の内周面との間に、水栓本体に対して吐水ヘッドが鉛直方向にガタつくことを抑制するガタつき抑制手段を設けている。
【０００７】
このように構成された水栓装置によれば、ガタつき抑制手段が、挿入部の外周面と被挿入部の内周面との間に設けられていることにより、水栓本体に対する吐水ヘッドの鉛直方向のガタつきを抑制することができる。
【０００８】
また、本発明の一態様に係る水栓装置は、ガタつき抑制手段は、挿入部を上下に二等分したうちの上方側における挿入部の外周面に設けられた突出部を有し、挿入部が被挿入部内に挿入された状態において、挿入部を上下方向にニ等分したうちの上方側で突出部と被挿入部の内周面とが当接され、挿入部を上下方向に二等分したうちの下方側で挿入部の外周面と被挿入部の内周面とが当接されてもよい。
【０００９】
このように構成された水栓装置によれば、挿入部が被挿入部内に挿入された状態において、挿入部を上下方向にニ等分したうちの上方側で突出部と被挿入部の内周面とが当接し、挿入部を上下方向に二等分したうちの下方側で挿入部の外周面と被挿入部の内周面とが当接していることにより、吐水ヘッドが水栓本体に対して鉛直方向にガタつくことを抑制することができる。
【００１０】
また、本発明の一態様に係る水栓装置は、突出部は、挿入部の外周面において一体的に形成された板ばねであってもよい。
【００１１】
このように構成された水栓装置によれば、水栓本体と吐水ヘッドとの間に嵌め合い代を設けて、吐水ヘッドを水栓本体からスムーズに引き出し自在とした場合であっても、板ばねの反発力により水栓本体に対する吐水ヘッドのガタつきを抑制することができる。また、簡単な構造により水栓本体に対する吐水ヘッドのガタつき抑制を実現できる。
【００１２】
また、本発明の一態様に係る水栓装置は、水栓本体に挿入部が設けられ、突出部は、挿入部の外周面における後端部に設けられる
【００１３】
このように構成された水栓装置によれば、水栓本体に対して吐水ヘッドを装着する際に、吐水ヘッドに設けられた被挿入部の内周面が水栓本体に設けられた挿入部の外周面に設けられた突出部から反発力を受ける範囲を狭くすることができるため、吐水ヘッドの装着時に使用者にかかる抵抗が小さく、操作性がよい。
【００１４】
また、本発明の一態様に係る水栓装置は、挿入部の外周面と被挿入部の内周面とのうちの一方に設けられた凸部と、挿入部の外周面と被挿入部の内周面とのうちの他方に設けられて凸部に嵌合される凹部と、を有してもよい。
【００１５】
このように構成された水栓装置によれば、挿入部の外周面と被挿入部の内周面とのうちの一方に設けられた凸部と、挿入部の外周面と被挿入部の内周面とのうちの他方に設けられて凸部とが嵌合することにより、水栓本体に対して吐水ヘッドが装着された状態において、水栓本体に対して吐水ヘッドが周方向に回転することを規制することができる。
【発明の効果】
【００１６】
本発明によれば、水栓本体に対して吐水ヘッドが着脱自在に装着される水栓装置における水栓本体に対する吐水ヘッドのガタつきを抑制することができる。
【図面の簡単な説明】
【００１７】
【図１】本実施形態における水栓装置の上方斜視図である。
【図２】本実施形態における水栓装置の側面図である。
【図３】本実施形態における水栓本体から吐水ヘッドを引き出した状態での水栓装置の上方斜視図である。
【図４】本実施形態における水栓装置の分解図である。
【図５】本実施形態におけるホースガイドの斜視図である。
【図６】本実施形態におけるホースガイドの正面視図である。
【図７】本実施形態における吐水ヘッドの後方斜視図である。
【図８】図２におけるＡ−Ａ断面図である。
【図９】図８におけるＢ−Ｂ断面図である。
【発明を実施するための形態】
【００１８】
＜水栓装置の構成＞
図１〜３を参照して、本実施形態における水栓装置について説明する。図１は、本実施形態における水栓装置の上方斜視図である。図２は、本実施形態における水栓装置の下方側面図である。図３は、本実施形態における水栓本体から吐水ヘッドを引き出した状態での水栓装置の上方斜視図である。
【００１９】
図１〜３に示すように、水栓装置１は、水栓本体１０に対して着脱自在に装着される吐水ヘッド３０を備えた水栓装置であり、水栓本体１０に設けられた挿入部２３と、吐水ヘッド３０に設けられて挿入部２３が挿入される被挿入部３５と、を有する。
【００２０】
水栓本体１０は、略Ｌ字形状をした外観であり、下端がカウンターＣに固定されている。この水栓本体１０は、腹部において左右方向に突出する円柱状の中央部１１を有する。
【００２１】
中央部１１の右側端部には操作レバー１２が設けられており、操作レバー１２を前後左右にハンドル操作することで、吐水される水の流量および温度を調整することができる。また、中央部１１の前面左寄りには、押圧式スイッチである浄水操作スイッチ１３が設けられている。
【００２２】
吐水ヘッド３０は、水栓本体１０の先端側に着脱自在に装着されており、水が吐水される吐水部３１と、接触式のセンサスイッチである原水操作スイッチ３３と、を有する。
【００２３】
吐水部３１は、吐水ヘッド３０の下面前方寄りに設けられており、水を拡散させずに収束状に吐出するストレート吐水部３１ａと、水を拡散させて散水状に吐出するシャワー吐水部３１ｂと、を有する。
【００２４】
原水操作スイッチ３３は、周方向への回動操作も可能である。周方向に回動操作することで、吐水部３１からの吐水を行うときに、ストレート吐水部３１ａから吐水させるか、シャワー吐水部３１ｂから吐水させるかを選択もしくは切り替えることができる。
【００２５】
なお、水栓装置１は、原水と浄水のどちらかを選択して吐水することができる水栓装置である。中央部１１に設けられた浄水操作スイッチ１３を押圧操作することで、吐水部３１からの浄水の吐止水を切り替えることができる。また、吐水ヘッド３０に設けられた原水操作スイッチ３３を操作することで、吐水部３１からの原水の吐止水を切り替えることができる。
【００２６】
水栓本体１０と吐水ヘッド３０とは、ホース４０によって連通している。吐水ヘッド３０が水栓本体１０に対して装着されている状態では、ホース４０は水栓本体１０内に隠蔽されている。吐水ヘッド３０が水栓本体１０から引き出されている状態では、ホース４０は水栓本体１０と吐水ヘッド３０との間で一部が露出している。
【００２７】
＜吐水ヘッドの着脱構造＞
次に、図４〜９を参照して、本実施形態における水栓本体に対する吐水ヘッドの着脱構造について説明する。図４は、本実施形態における水栓装置の分解図である。図５は、本実施形態におけるホースガイドの斜視図である。図６は、本実施形態におけるホースガイドの正面視図である。図７は、本実施形態における吐水ヘッドの後方斜視図である。図８は、図２におけるＡ−Ａ断面図である。図９は、図８におけるＢ−Ｂ断面図である。
【００２８】
図３，４に示すように、水栓本体１０の先端付近には、ホースガイド２０が内側に固定されている。ホースガイド２０は、ポリアセタール樹脂で形成された筒形状の部材である。ホースガイド２０内にはホース４０が挿通されており、ホースガイド２０の内径はホース４０の外径と略同一である。ホースガイド２０は、吐水ヘッド３０が水栓本体１０から引き出されるときや、吐水ヘッド３０が水栓本体１０に対して装着されるときに、ホース４０の動きをガイドする。
【００２９】
図４〜６に示すように、ホースガイド２０は、中央部に形成された鍔部２１と、鍔部２１から後方に向けて延びる後部２２と、鍔部２１から前方に向けて延びる挿入部２３と、を有する。
【００３０】
水栓本体１０の先端の内側には、段部１４が設けられている。ホースガイド２０を後部２２から水栓本体１０内へ挿入し、段部１４に対して鍔部２１を嵌め合わせてホースガイド２０を位置決めした状態で水栓本体１０とホースガイドとを下方からネジ止めすることにより、ホースガイド２０が水栓本体１０の先端付近に固定される。
【００３１】
挿入部２３の外周面における後端部には、ガタつき抑制手段としての突出部（板ばね）２４と、の第一凸部２５および第二凸部２６と、が一体的に形成されている。突出部（板ばね）２４は、後方側に向けて上方に延びており、上方から下方にむけて力が加わると弾性変形して上方へ反発力を働かせながら下方へ撓む。
【００３２】
図７に示すように、吐水ヘッド３０の後端部には、開口３６を有する被挿入部３５が設けられている。吐水ヘッド３０を、被挿入部３５の開口３６から水栓本体１０に固定されたホースガイド２０の挿入部２３へ挿し込むことで、吐水ヘッド３０が水栓本体１０に対して装着される。
【００３３】
開口３６は、第一凹部３７および第二凹部３８と、第三凹部３９と、を有する。被挿入部３５に挿入部２３が内挿された状態においては、第一凸部２５と第一凹部３７、第二凸部２６と第二凹部３８、突出部２４と第三凹部３９、がそれぞれ嵌合している。そのため、水栓本体１０に対して吐水ヘッド３０が装着された状態において吐水ヘッド３０に対して周方向への力が加わったとしても、水栓本体１０に対する吐水ヘッド３０の周方向への回転が規制される。
【００３４】
また、被挿入部３５内に挿入部２３を挿入できるように開口３６の開口形状と挿入部２３の外形形状とは互いに略対応しているが、開口３６の開口面積Ｓ２の方が挿入部２３の外形面積Ｓ１よりもわずかに大きくなっている。これにより、被挿入部３５の内周面と挿入部２３の外周面との間には嵌め合い代が設けられるため、吐水ヘッド３０を水栓本体１０からスムーズに引き出し易い。
【００３５】
図８に示すように、点線Ｘ１は、挿入部２３の中心Ｏを通り、挿入部２３を上下方向に二等分する点線である。板ばね２４は、点線Ｘ１よりも上方側における挿入部２３の外周面に設けられている。挿入部２３が被挿入部３５内に挿入された状態において、点線Ｘ１よりも上方側では点Ｐにおいて突出部２４と被挿入部３５の内周面とが当接し、点線Ｘ１よりも下方側では点Ｑにおいて挿入部２３の外周面と被挿入部３５の内周面とが当接している。
【００３６】
図９に示すように、挿入部２３が被挿入部３５内に挿入された状態において、突出部２４は、被挿入部３５の内周面によって下方へ押し込まれて弾性変形し、ホースガイド２０の中心軸Ｘ２方向に向けて撓んでいる。したがって、被挿入部３５の内周面に対して突出部２４の反発力が働いているため、ホースガイド２０の挿入部２３は、被挿入部３５内にしっかりと嵌まり込む。
【００３７】
＜作用・効果＞
次に、本実施形態における水栓装置の作用効果を説明する。
【００３８】
本実施形態においては、挿入部２３の外周面には、ガタつき抑制手段としての突出部２４が設けられており、挿入部２３が被挿入部３５内に挿入された状態において、突出部２４は、被挿入部３５の内周面から下方に向けて押し込まれて弾性変形し、ホースガイド２０の中心軸Ｘ２方向に向けて撓んでいる。これにより、被挿入部３５の内周面に対して突出部（板ばね）２４の反発力が働いているため、ホースガイド２０の挿入部２３は、被挿入部３５内にしっかりと嵌まり込む。すなわち、水栓本体１０に対する吐水ヘッド３０の鉛直方向へのガタつきを抑制することができる。
【００３９】
また、突出部２４は、点線Ｘ１よりも上方側における挿入部２３の外周面に設けられており、挿入部２３が被挿入部３５内に挿入された状態において、点線Ｘ１よりも上方側では点Ｐにおいて突出部２４と被挿入部３５の内周面とが当接し、点線Ｘ１よりも下方側では点Ｑにおいて挿入部２３の外周面と被挿入部３５の内周面とが当接している。これにより、水栓本体１０に対して吐水ヘッド３０が装着された状態において、吐水ヘッド３０が水栓本体１０に対して鉛直方向に回転してガタつくことを抑制することができる。
【００４０】
また、突出部２４は、挿入部２３の外周面において一体的に形成されている。これにより、簡単な構造により水栓本体１０に対する吐水ヘッド３０のガタつきを抑制することができる。
【００４１】
また、突出部２４は、挿入部２３の外周面における後端部に設けられている。これにより、水栓本体１０に対して吐水ヘッド３０を装着する際に、吐水ヘッド３０が突出部２４から反発力を受ける範囲を狭くすることができるため、吐水ヘッド３０の装着時に使用者にかかる抵抗が小さく、操作性がよい。
【００４２】
また、被挿入部３５に挿入部２３が内挿された状態においては、第一凸部２５と第一凹部３７、第二凸部２６と第二凹部３８、突出部２４と第三凹部３９、がそれぞれ嵌合している。そのため、水栓本体１０に対して吐水ヘッド３０が装着された状態において吐水ヘッド３０に対して周方向への力が加わったとしても、水栓本体１０に対する吐水ヘッド３０の周方向への回転が規制される。
【００４３】
以上、本願の開示する技術の実施形態について説明したが、本願の開示する技術は、上記に限定されるものではない。
【００４４】
例えば、上記実施形態においては、水栓本体１０に挿入部２３を設け、吐水ヘッド３０に挿入部２３が挿入される被挿入部３５を設けたが、本発明はこれに限らず、吐水ヘッド３０に挿入部を設け、水栓本体１０に挿入部が挿入される被挿入部を設けてもよい。
【００４５】
また、上記実施形態においては、挿入部２３の外周面に突出部２４を設けたが、本発明はこれに限らず、被挿入部３５の内周面に弾性を有する突出部（板ばね）を設けてもよい。
【００４６】
また、上記実施形態においては、挿入部２３の外周面に設けられた第一凸部２５及び第二凸部２６が、被挿入部３５の内周面に設けられた第一凹部３７及び第二凹部３８と嵌合することとしたが、本発明はこれに限らず、挿入部２３の外周面に設けられた凹部と被挿入部３５の内周面に設けられた凸部とが嵌合することで、水栓本体１０に対する吐水ヘッド３０の周方向への回転が規制されることとしてもよい。
【００４７】
また、上記実施形態においては、水栓本体１０に対する吐水ヘッド３０のガタつき抑制手段として板ばねを用いたが、本発明はこれに限らず、挿入部の外周面と被挿入部の内周面との間に離間する方向に力を加える弾性体が広く利用できる。例えば板ばね以外にもコイル状のつるまきばねの各種ばねや、自身が弾性をもつパッキンなどを、ガタつき抑制手段として用いても良い。
【００４８】
前述した各実施の形態が備える各要素は、技術的に可能な限りにおいて組み合わせることができ、これらを組み合わせたものも本発明の特徴を含む限り本発明の範囲に包含される。
【符号の説明】
【００４９】
１        水栓装置
１０      水栓本体
１１      中央部
１２      操作レバー
１３      浄水操作スイッチ
１４      段部
２０      ホースガイド
２１      鍔部
２２      後部
２３      挿入部
２４      突起部（板ばね、ガタつき抑制手段）
２５      第一凸部（凸部）
２６      第二凸部（凸部）
３０      吐水ヘッド
３１      吐水部
３１ａ    ストレート吐水部
３１ｂ    シャワー吐水部
３３      原水操作スイッチ
３５      被挿入部
３６      開口
３７      第一凹部（凹部）
３８      第二凹部（凹部）
３９      第三凹部
４０      ホース
Ｃ        カウンター
【図１】
2017141587.tif 000003
【図２】
2017141587.tif 000004
【図３】
2017141587.tif 000005
【図４】
2017141587.tif 000006
【図５】
2017141587.tif 000007
【図６】
2017141587.tif 000008
【図７】
2017141587.tif 000009
【図８】
2017141587.tif 000010
【図９】
2017141587.tif 000011